【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
複数の光源手段と、該複数の光源手段から発した複数の光束を反射する第１の折り返しミラーと、該第１の折り返しミラーで反射された複数の光束を同一の偏向面で偏向する光偏向器と、該光偏向器の同一偏向面によって偏向された複数の光束を異なる被走査面上に導光する走査光学系と、を有する光走査装置であって、
前記第１の折り返しミラーは、該第１の折り返しミラーを主走査断面内に投射したとき、主走査断面内の有効範囲内に配置され、
副走査断面内において、該第１の折り返しミラーで反射された複数の光束は、該第１の折り返しミラーの法線方向に対して互いに異なる方向に反射された後に、該光偏向器の同一偏向面に対して互いに異なる角度で入射しており、
該第１の折り返しミラーの反射面の法線方向に対して互いに異なる方向に反射された複数の光束の主光線のうち該第１の折り返しミラー上で最も離れた２つの主光線の副走査方向の間隔をｄ、前記光偏向器の同一の偏向面の法線に対して互いに異なる角度で入射する複数の光束のうち最も入射角度が小さい光束の主光線と該偏向面の法線との成す副走査方向の角度をα、該最も入射角度が小さい光束のＦナンバーで決定される副走査方向の入射角をθ、該光偏向器の偏向面から該第１の折り返しミラーの反射面までの間隔をＬとするとき、
２Ｌ・ｔａｎ（θ／２）＜２Ｌ・ｔａｎα−ｄ≦１０
なる条件を満足することを特徴とする光走査装置。
【請求項２】
前記第１の折り返しミラーの反射面の法線方向に対して互いに異なる方向に反射される２つの光束は、その反射角が互いに等しいことを特徴とする請求項１に記載の光走査装置。
【請求項３】
前記第１の折り返しミラーの反射面の法線方向に対して互いに異なる方向に反射される２つの光束は、副走査断面内において、該第１の折り返しミラーの近傍で交差することを特徴とする請求項１又は２に記載の光走査装置。
【請求項４】
副走査断面内において、前記偏向面の法線に対して互いに異なる角度で入射する複数の光束は、該偏向面に対して互いに異なる方向に反射されることを特徴とする請求項１乃至３の何れか一項に記載の光走査装置。
【請求項５】
前記光偏向器により偏向される複数の光束の各々は、副走査断面内において、前記第１の折り返しミラーの反射面の両端部の異なる端部の外側を通過することを特徴とする請求項１乃至４の何れか一項に記載の光走査装置。
【請求項６】
前記光偏向器の同一偏向面で偏向された複数の光束を反射させる第２の折り返しミラーを該光偏向器と前記被走査面の間の光路中に有し、該第２の折り返しミラーは、前記第１の折り返しミラーより、該光偏向器から遠い位置に配置されていることを特徴とする請求項１乃至５の何れか一項に記載の光走査装置。
【請求項７】
前記第１の折り返しミラーの反射面の法線方向に対して互いに異なる方向に反射される複数の光束は、前記走査光学系を構成する少なくとも１つの走査光学素子を通過し、前記光偏向器で偏向された後、該走査光学素子を再度通過することを特徴とする請求項１乃至６の何れか一項に記載の光走査装置。
【請求項８】
各々が請求項１乃至７の何れか１項に記載の光走査装置を少なくとも１つ備え、該少なくとも１つの光走査装置の複数の被走査面に配置され、互いに異なった色の画像を形成する複数の像担持体とを有することを特徴とするカラー画像形成装置。
【請求項９】
外部機器から入力した色信号を異なった色の画像データに変換して各々の光走査装置に入力せしめるプリンタコントローラを有していることを特徴とする請求項８に記載のカラー画像形成装置。
【手続補正２】
【補正対象書類名】明細書
【補正対象項目名】００２３
【補正方法】変更
【補正の内容】
【００２３】
請求項１の発明の光走査装置は、
複数の光源手段と、該複数の光源手段から発した複数の光束を反射する第１の折り返しミラーと、該第１の折り返しミラーで反射された複数の光束を同一の偏向面で偏向する光偏向器と、該光偏向器の同一偏向面によって偏向された複数の光束を異なる被走査面上に導光する走査光学系と、を有する光走査装置であって、
前記第１の折り返しミラーは、該第１の折り返しミラーを主走査断面内に投射したとき、主走査断面内の有効範囲内に配置され、
副走査断面内において、該第１の折り返しミラーで反射された複数の光束は、該第１の折り返しミラーの法線方向に対して互いに異なる方向に反射された後に、該光偏向器の同一偏向面に対して互いに異なる角度で入射しており、
該第１の折り返しミラーの反射面の法線方向に対して互いに異なる方向に反射された複数の光束の主光線のうち該第１の折り返しミラー上で最も離れた２つの主光線の副走査方向の間隔をｄ、前記光偏向器の同一の偏向面の法線に対して互いに異なる角度で入射する複数の光束のうち最も入射角度が小さい光束の主光線と該偏向面の法線との成す副走査方向の角度をα、該最も入射角度が小さい光束のＦナンバーで決定される副走査方向の入射角をθ、該光偏向器の偏向面から該第１の折り返しミラーの反射面までの間隔をＬとするとき、
２Ｌ・ｔａｎ（θ／２）＜２Ｌ・ｔａｎα−ｄ≦１０
なる条件を満足することを特徴としている。
【手続補正３】
【補正対象書類名】明細書
【補正対象項目名】００２４
【補正方法】変更
【補正の内容】
【００２４】
請求項２の発明は請求項１の発明において、
前記第１の折り返しミラーの反射面の法線方向に対して互いに異なる方向に反射される２つの光束は、その反射角が互いに等しいことを特徴としている。
【手続補正４】
【補正対象書類名】明細書
【補正対象項目名】００２５
【補正方法】変更
【補正の内容】
【００２５】
請求項３の発明は請求項１又は２の発明において、
前記第１の折り返しミラーの反射面の法線方向に対して互いに異なる方向に反射される２つの光束は、副走査断面内において、該第１の折り返しミラーの近傍で交差することを特徴としている。
【手続補正５】
【補正対象書類名】明細書
【補正対象項目名】００２６
【補正方法】変更
【補正の内容】
【００２６】
請求項４の発明は請求項１乃至３のいずれか１項の発明において、
副走査断面内において、前記偏向面の法線に対して互いに異なる角度で入射する複数の光束は、該偏向面に対して互いに異なる方向に反射されることを特徴としている。
【手続補正６】
【補正対象書類名】明細書
【補正対象項目名】００２７
【補正方法】変更
【補正の内容】
【００２７】
請求項５の発明は請求項１乃至４のいずれか１項の発明において、
前記光偏向器により偏向される複数の光束の各々は、副走査断面内において、前記第１の折り返しミラーの反射面の両端部の異なる端部の外側を通過することを特徴としている。
【手続補正７】
【補正対象書類名】明細書
【補正対象項目名】００２８
【補正方法】変更
【補正の内容】
【００２８】
請求項６の発明は請求項１乃至５のいずれか１項の発明において、
前記光偏向器の同一偏向面で偏向された複数の光束を反射させる第２の折り返しミラーを該光偏向器と前記被走査面の間の光路中に有し、該第２の折り返しミラーは、前記第１の折り返しミラーより、該光偏向器から遠い位置に配置されていることを特徴としている。
【手続補正８】
【補正対象書類名】明細書
【補正対象項目名】００２９
【補正方法】変更
【補正の内容】
【００２９】
請求項７の発明は請求項１乃至６のいずれか１項の発明において、
前記第１の折り返しミラーの反射面の法線方向に対して互いに異なる方向に反射される複数の光束は、前記走査光学系を構成する少なくとも１つの走査光学素子を通過し、前記光偏向器で偏向された後、該走査光学素子を再度通過することを特徴としている。
【手続補正９】
【補正対象書類名】明細書
【補正対象項目名】００３０
【補正方法】変更
【補正の内容】
【００３０】
請求項８の発明のカラー画像形成装置は、
各々が請求項１乃至７の何れか１項に記載の光走査装置を少なくとも１つ備え、該少なくとも１つの光走査装置の複数の被走査面に配置され、互いに異なった色の画像を形成する複数の像担持体とを有することを特徴としている。
【手続補正１０】
【補正対象書類名】明細書
【補正対象項目名】００３１
【補正方法】変更
【補正の内容】
【００３１】
請求項９の発明は請求項８の発明において、
外部機器から入力した色信号を異なった色の画像データに変換して各々の光走査装置に入力せしめるプリンタコントローラを有していることを特徴としている。
【手続補正１１】
【補正対象書類名】明細書
【補正対象項目名】００３２
【補正方法】削除
【補正の内容】